(57)【要約】      （修正有）【課題】立体メガネの制御方法、制御システム及び制御コンピュータプログラムを提供する。【解決手段】立体メガネの右眼シャッタ及び左眼シャッタを、各閉位置と開位置との間で高速に開閉タイミングを切り替えるように制御し、右眼シャッタ及び左眼シャッタを、所定の長さの時間にわたって、同時に高速で開閉位置にとどまるように制御し、右眼シャッタ及び左眼シャッタを、所定の長さの時間中に同時に開時間及び閉時間を有するように制御する。開時間が１／２４秒未満であるため、視覚残留が発生せず、右眼及び左眼が画像が上書きされる過程中のコンテンツを見るのを避け、眼の光感応を高め、開位置と閉位置との切替を行う際の明暗コントラストを低下させ眼精疲労を低減し、画素及び色彩飽和度を高める。【選択図】図３
2016111682.tif 000002
【特許請求の範囲】
【請求項１】
立体メガネの制御方法であって、
前記立体メガネの右眼シャッタを、各閉位置と開位置との間で高速開閉位置に切り替えるように制御し、
前記立体メガネの左眼シャッタを、各閉位置と開位置との間で高速開閉位置に切り替えるように制御し、
前記立体メガネの右眼シャッタ及び左眼シャッタが制御されることにより、前記右眼シャッタ及び前記左眼シャッタは、所定の長さの時間にわたって、同時に高速開閉位置にとどまり、
前記所定の長さの時間は、左画像が右眼シャッタに提供される右画像によってディスプレイ上において部分的に上書きされる時間乃至右画像が左眼シャッタに提供される左画像によってディスプレイ上において部分的に上書きされる時間であり、
前記立体メガネの左眼シャッタが制御されることにより、前記左眼シャッタは、第１の垂直帰線区間の持続時間において開位置となり、前記左眼シャッタの高速開閉位置の所定の長さの時間中、開時間及び閉時間を有し、前記開時間は、１／２４秒未満であり、
前記立体メガネの右眼シャッタが制御されることにより、前記右眼シャッタは、第２の垂直帰線区間の持続時間において開位置となり、前記右眼シャッタの高速開閉位置の所定の長さの時間中、開時間及び閉時間を有し、前記開時間は、１／２４秒未満であることを特徴とする立体メガネの制御方法。
【請求項２】
前記立体メガネの右眼シャッタ及び左眼シャッタは、所定の長さの時間中、重複して交差する複数の開時間及び閉時間を有し、前記各開時間は、１／２４秒未満であることを特徴とする請求項１に記載の立体メガネの制御方法。
【請求項３】
前記立体メガネの右眼シャッタ及び左眼シャッタは、所定の長さの時間中、互いに相反する高速開閉動作を行い、一方が開時間の際、他方は閉時間であることを特徴とする請求項１に記載の立体メガネの制御方法。
【請求項４】
前記右眼シャッタ及び左眼シャッタは、閉位置中、重複して交差する複数の開時間及び閉時間を有し、前記各開時間は、１／２４秒未満であることを特徴とする請求項１に記載の立体メガネの制御方法。
【請求項５】
前記立体メガネの右眼シャッタが制御されることにより、前記右眼シャッタが右眼コンテンツを表示する際、開位置となり、前記立体メガネの左眼シャッタが制御されることにより、前記左眼シャッタが左眼コンテンツを表示する際、開位置となることを特徴とする請求項１に記載の立体メガネの制御方法。
【請求項６】
グラフィックスプロセッサと、前記グラフィックスプロセッサと通信を行う立体制御装置と、を備える立体メガネの制御システムであって、
前記立体制御装置は、
前記立体メガネの右眼シャッタ及び左眼シャッタを、各閉位置と開位置との間で高速開閉位置に切り替えるように制御し、
前記システムによって前記立体メガネの右眼シャッタ及び左眼シャッタが制御されることにより、前記右眼シャッタ及び前記左眼シャッタは、所定の長さの時間にわたって、同時に高速開閉位置にとどまり、
前記所定の長さの時間は、左画像が右眼シャッタに提供される右画像によってディスプレイ上において部分的に上書きされる時間乃至右画像が左眼シャッタに提供される左画像によってディスプレイ上において部分的に上書きされる時間であり、
前記システムによって前記立体メガネの左眼シャッタが制御されることにより、前記左眼シャッタは、第１の垂直帰線区間の持続時間において開位置となり、
前記左眼シャッタの高速開閉位置の所定の長さの時間中、開時間及び閉時間を有し、前記開時間は、１／２４秒未満であり、
前記立体メガネの右眼シャッタが制御されることにより、前記右眼シャッタは、第２の垂直帰線区間の持続時間において開位置となり、前記右眼シャッタの高速開閉位置の所定の長さの時間中、開時間及び閉時間を有し、前記開時間は、１／２４秒未満であることを特徴とする立体メガネの制御システム。
【請求項７】
前記システムが制御を行うことにより、前記立体メガネの右眼シャッタ及び左眼シャッタは、所定の長さの時間中、重複して交差する複数の開時間及び閉時間を有し、前記各開時間は、１／２４秒未満であることを特徴とする請求項６に記載の立体メガネの制御システム。
【請求項８】
前記システムが制御を行うことにより、前記立体メガネの右眼シャッタ及び左眼シャッタは、所定の長さの時間中、互いに相反する高速開閉動作を行い、一方が開時間の際、他方は閉時間であることを特徴とする請求項６に記載の立体メガネの制御システム。
【請求項９】
前記システムが制御を行うことにより、前記右眼シャッタ及び左眼シャッタは、閉位置中、重複して交差する複数の開時間及び閉時間を有し、前記各開時間は、１／２４秒未満であることを特徴とする請求項６に記載の立体メガネの制御システム。
【請求項１０】
コンピュータの読取可能媒体を備える立体メガネの制御コンピュータプログラムであって、
立体メガネの右眼シャッタを制御し、各閉位置と開位置との間で高速開閉位置に切り替えるために用いられるコンピュータコードと、
立体メガネの左眼シャッタを制御し、各閉位置と開位置との間で高速開閉位置に切り替えるために用いられるコンピュータコードと、を備え、
前記コンピュータプログラムによって前記立体メガネの右眼シャッタ及び左眼シャッタが制御されることにより、前記右眼シャッタ及び前記左眼シャッタは、所定の長さの時間にわたって、同時に高速開閉位置にとどまり、
前記所定の長さの時間は、左画像が右眼シャッタに提供される右画像によってディスプレイ上において部分的に上書きされる時間乃至右画像が左眼シャッタに提供される左画像によってディスプレイ上において部分的に上書きされる時間であり、
前記システムによって前記立体メガネの左眼シャッタが制御されることにより、前記左眼シャッタは、第１の垂直帰線区間の持続時間において開位置となり、前記左眼シャッタの高速開閉位置の所定の長さの時間中、開時間及び閉時間を有し、前記開時間は、１／２４秒未満であり、
前記立体メガネの右眼シャッタが制御されることにより、前記右眼シャッタは、第２の垂直帰線区間の持続時間において開位置となり、前記右眼シャッタの高速開閉位置の所定の長さの時間中、開時間及び閉時間を有し、前記開時間は、１／２４秒未満であることを特徴とする立体メガネの制御コンピュータプログラム。
【発明の詳細な説明】
【技術分野】
【０００１】
本発明は、画像ディスプレイに関し、特に、立体メガネの制御方法、制御システム及び制御コンピュータプログラムに関する。
【背景技術】
【０００２】
近年、立体映画が人気を博し、立体画像ディスプレイの発展も成熟してきている。以前は映画館でしか鑑賞できなかった立体映画が、現在は家庭で鑑賞できるようになった。
【０００３】
従来の立体メガネの制御方法として特許文献１を参照する。図１を参照する。最初に、左眼でのみ見ることを意図された第１の左画像Ｌ１が、通信媒体１１を介して送信される様子が示されている。この後、送信の一時休止、すなわち、垂直帰線区間１２がある。次に、右眼でのみ見ることを意図された第１の右画像Ｒ１が送信され、以降も同様に繰り返される。
【０００４】
立体メガネの右眼シャッタと左眼シャッタとは、独立して制御され、右眼制御信号１３によって右眼シャッタが制御され、左眼制御信号１５によって左眼シャッタが制御される。立体メガネの左眼シャッタ及び右眼シャッタが制御されることにより、左眼シャッタは、少なくとも第１の垂直帰線区間１２にわたって開の位置に維持され、右眼シャッタは、少なくとも第２の垂直帰線区間１４にわたって開の位置に持続される。第１の垂直帰線区間１２と第２の垂直帰線区間１４とは、交互に発生し、これらは両方とも、右眼コンテンツ又は左眼コンテンツがコンテンツソースから受信される時間帯の合間に発生する。
【０００５】
立体メガネの右眼シャッタ及び左眼シャッタが制御されることにより、右眼シャッタ及び左眼シャッタは、所定の長さの時間１６にわたって同時に閉位置に維持される。図１に示すように、この所定の長さの時間１６は、第１の左画像Ｌ１が第１の右画像Ｒ１によって部分的に上書きされる時間帯を表している。したがって、そのような時間の間は立体メガネの右眼シャッタ及び左眼シャッタの両方が同時に閉位置にとどまるようにすることにより、右眼コンテンツが左眼で見られることが防がれ、左眼コンテンツが右眼で見られることが防がれる。このため、左眼シャッタは、第１の垂直帰線区間１２（すなわち、左眼コンテンツだけが表示されている場合など）の継続時間の間のみ開位置にあるように制御される。さらに、右眼シャッタは、第２の垂直帰線区間１４（すなわち、右眼コンテンツだけが表示されている場合など）の継続時間の間のみ開位置にあるように制御される。したがって、そのような所定の長さの時間１７は、第１の左画像Ｌ１が第１の右画像Ｒ１によって部分的に上書きされている時間枠全体を表している（以降も同様である）。
【０００６】
特許文献１の発明は、立体メガネの右眼シャッタ及び左眼シャッタを閉位置と開位置との間で切り替えるように制御し、立体メガネの右眼シャッタ及び左眼シャッタを所定の長さの時間１６，１７にわたって、同時に閉位置にとどまるように制御する。しかし、特許文献１の方法中、右眼シャッタ及び左眼シャッタが閉位置で所定の長さの時間１６，１７中にある際、光感応がないため、右眼シャッタ及び左眼シャッタが閉位置と開位置との間で切り替える際、明暗の強烈なコントラストが発生し、眼精疲労しやすい。このため、上述の問題を解決することが求められていた。
【先行技術文献】
【特許文献】
【０００７】
【特許文献１】特表２００９−５３１９７９号公報
【発明の概要】
【発明が解決しようとする課題】
【０００８】
本発明の目的は、右眼シャッタ及び左眼シャッタを、所定の長さの時間中に同時に開時間及び閉時間を有するように制御するか、或いは、高速で重複交差する複数の開時間及び閉時間を有するように制御し、１回又は各開時間が１／２４秒未満であるため、視覚残留が発生せず、左眼及び右眼が画像が上書きされる過程中のコンテンツを見るのを避けることができ、眼の光感応を高めることができ、開位置と閉位置との切替を行う際の明暗コントラストを低下させて眼精疲労するのを低減し、画素及び色彩飽和度を高めることができる立体メガネの制御方法、制御システム及び制御コンピュータプログラムを提供することにある。
【課題を解決するための手段】
【０００９】
上述の課題を解決するために、本発明は、立体メガネの制御方法、制御システム及び制御コンピュータプログラムを提供するものである。立体メガネの制御方法は、立体メガネの右眼シャッタを、各閉位置と開位置との間で高速開閉位置に切り替えるように制御し、立体メガネの左眼シャッタを、各閉位置と開位置との間で高速開閉位置に切り替えるように制御し、立体メガネの右眼シャッタ及び左眼シャッタが制御されることにより、右眼シャッタ及び左眼シャッタは、所定の長さの時間にわたって、同時に高速開閉位置にとどまり、所定の長さの時間は、左画像が右眼シャッタに提供される右画像によってディスプレイ上において部分的に上書きされる時間乃至右画像が左眼シャッタに提供される左画像によってディスプレイ上において部分的に上書きされる時間であり、立体メガネの左眼シャッタが制御されることにより、左眼シャッタは、第１の垂直帰線区間の持続時間において開位置となり、左眼シャッタの高速開閉位置の所定の長さの時間中、開時間及び閉時間を有し、開時間は、１／２４秒未満であり、立体メガネの右眼シャッタが制御されることにより、右眼シャッタは、第２の垂直帰線区間の持続時間において開位置となり、右眼シャッタの高速開閉位置の所定の長さの時間中、開時間及び閉時間を有し、開時間は、１／２４秒未満である。
【００１０】
前述の立体メガネの制御方法中、立体メガネの右眼シャッタ及び左眼シャッタは、所定の長さの時間中、重複して交差する複数の開時間及び閉時間を有し、各開時間は、１／２４秒未満である。
【００１１】
前述の立体メガネの制御方法中、立体メガネの右眼シャッタ及び左眼シャッタは、所定の長さの時間中、互いに相反する高速開閉動作を行い、一方が開時間の際、他方は閉時間である。
【００１２】
前述の立体メガネの制御方法中、右眼シャッタ及び左眼シャッタは、閉位置中、重複して交差する複数の開時間及び閉時間を有し、各開時間は、１／２４秒未満であることにより、眼の視覚感光が増加する。
【００１３】
前述の立体メガネの制御方法中、立体メガネの右眼シャッタが制御されることにより、右眼シャッタが右眼コンテンツを表示する際、開位置となり、立体メガネの左眼シャッタが制御されることにより、左眼シャッタが左眼コンテンツを表示する際、開位置となる。
【発明の効果】
【００１４】
本発明の立体メガネの制御方法、制御システム及び制御コンピュータプログラムにより、開時間が１／２４秒未満であるため、視覚残留が発生せず、右眼及び左眼が画像が上書きされる過程中のコンテンツを見るのを避け、眼の光感応を高めることができ、開位置と閉位置との切替を行う際の明暗コントラストを低下させて眼精疲労するのを低減し、画素及び色彩飽和度を高めることができる。
【図面の簡単な説明】
【００１５】
【図１】特許文献１の立体メガネを利用して表示コンテンツを見る際のタイミングを示す図である。
【図２】本発明の一実施形態による立体メガネの制御システムを示すブロック図である。
【図３】本発明の一実施形態による立体メガネの制御方法を利用して表示コンテンツを見る際のタイミングを示す図である。
【図４】本発明の他の実施形態による立体メガネの制御方法を利用して表示コンテンツを見る際のタイミングを示す図である。
【発明を実施するための形態】
【００１６】
本発明が上述の目的を実現するために採用した技術手段及び効果示す実施形態を図に沿って説明する。
【００１７】
図２に示すように、本発明の立体メガネの制御方法、制御システム及び制御コンピュータプログラムで使用されるコンピュータシステム１００中、ホストプロセッサ１０１、バス１０２、メインメモリ１０３、グラフィックスプロセッサ１０４、ディスプレイ１０５、二次ストレージ１０６、立体制御装置１０７及び立体メガネ１０８を含む。ホストプロセッサ１０１は、バス１０２を介してメインメモリ１０３、グラフィックスプロセッサ１０４、ディスプレイ１０５、二次ストレージ１０６及び立体制御装置１０７に電気的に接続される。ディスプレイ１０５は、液晶ディスプレイ（ＬＣＤ）、ＤＬＰディスプレイ、ＬＣＯＳディスプレイ又はプラズマディスプレイである。コンピュータプログラムは、メインメモリ１０３及び／又は二次ストレージ１０６中に保存され、コンピュータプログラムを実行することにより、コンピュータシステム１００は、各種機能を実行することができる。
【００１８】
図２及び図３に示すように、立体メガネ１０８は、右眼シャッタ１０９、メガネ本体１１０及び左眼シャッタ１１１を含む。右眼シャッタ１０９及び左眼シャッタ１１１は、それぞれ、開位置２０８，２０９及び閉位置２０６，２０７を有する。使用時、開位置２０８，２０９は、閉位置２０６，２０７と反対に多くの光線を透過させることができる。立体メガネ１０８は、無線送信又はケーブルを介して立体制御装置１０７に接続される。立体制御装置１０７は、順番にグラフィックスプロセッサ１０４及びディスプレイ１０５に接続される。立体制御装置１０７は、必要とされる機能を提供することができるハードウェア及び／又はソフトウェアを含み、右眼シャッタ１０９と左シャッタ１１１との切替を制御する。
【００１９】
図２及び図３を参照する。コンピュータシステム１００のディスプレイ１０５は、ＤＶＩ、ＶＧＡ、ＨＤＭＩ（登録商標）、ＭＨＬなどの表示コンテンツを通信することができる通信媒体２０１を介して通信を行う。図３に示すタイミング２００中、まず、左眼で見ることを意図された、第１の左画像Ｌ１が、通信媒体２０１を介して送信される。この後、垂直帰線区間２０２と呼ばれる、送信の一時休止がある。次に、右眼で見ることを意図された、第１の右画像Ｒ１が送信される。この後、垂直帰線区間２０３と呼ばれる、送信の一時休止がある。次に、左眼で見ることを意図された、第２の左画像Ｌ２が送信される。この後、垂直帰線区間２０２と呼ばれる、送信の一時休止がある。次に、右眼で見ることを意図された、第２の右画像Ｒ２が送信される。以降も同様に繰り返される。
【００２０】
立体メガネ１０８の右眼シャッタ１０９と左眼シャッタ１１１とは、独立して制御され、右眼制御信号２０４によって右眼シャッタが制御１０９され、左眼制御信号２０５によって左眼シャッタ１１１が制御される。立体メガネ１０８の左眼シャッタ１１１及び右眼シャッタ１０９が制御されることにより、左眼シャッタ１１１は、少なくとも第１の垂直帰線区間２０２にわたって開位置２０９に維持され、右眼が見る表示コンテンツを受信した後、右眼シャッタ１０９は、少なくとも第２の垂直帰線区間２０３にわたって開位置２０８に持続され、右眼が見る表示コンテンツを受信した後、第１の垂直帰線区間２０２と第２の垂直帰線区間２０３とは、交互に発生し、これらは両方とも、右眼コンテンツ又は左眼コンテンツがコンテンツソースから受信される時間帯の合間に発生する。
【００２１】
立体メガネの制御システム中、無線送信の立体メガネ１０８を使用する状況下において、立体メガネ１０８の右眼シャッタ１０９及び左眼シャッタ１１１は、複数の信号（例えば、コンピュータプログラムのコードなど）を利用して制御されることが可能である。これらの信号の中の１つが具体的に分配されることにより、右眼シャッタ１０９と左眼シャッタ１１１とが同時に高速開閉位置２１０，２１１に移行して高速開閉位置２１０，２１１を維持する。図２及び図３に示すように、立体メガネ１０８の右眼シャッタ１０９は、各閉位置２０６と開位置２０８との間で高速開閉位置２１０に切り替えるように制御され、立体メガネ１０８の左眼シャッタ１１１は、各閉位置２０７と開位置２０９との間で高速開閉位置２１１に切り替えるように制御される。立体メガネ１０８の右眼シャッタ１０９及び左眼シャッタ１１１が制御されることにより、右眼シャッタ１０９及び左眼シャッタ１１１は、所定の長さの時間２１２，２１３にわたって、同時に高速開閉位置２１０，２１１にとどまる。所定の長さの時間２１２，２１３は、第１の左画像Ｌ１が右眼シャッタ１０９に提供される第１の右画像Ｒ１によってディスプレイ１０５上において部分的に上書きされる時間乃至右画像Ｒ１が左眼シャッタ１１１に提供される第２の左画像Ｌ２によってディスプレイ１０５上において部分的に上書きされる時間である（以降も同様である）。
【００２２】
上述の内容から、立体メガネ１０８の左眼シャッタ１１が制御されることにより、左眼シャッタは、第１の垂直帰線区間２０２（すなわち、左眼コンテンツだけが表示されている場合など）の継続時間の間のみ開位置２０９にあるように制御される。さらに、立体メガネ１０８の右眼シャッタ１０９が制御されることにより、右眼シャッタ１０９は、第２の垂直帰線区間２０３（すなわち、右眼コンテンツだけが表示されている場合など）の継続時間の間のみ開位置２０８にあるように制御される（以降も同様である）。立体メガネ１０８の右眼シャッタ１０９及び左眼シャッタ１１１が制御されることにより、左眼シャッタ１１１の高速開閉位置２１１の所定の長さの時間２１３中、少なくとも１つの開時間２１５及び閉時間２１７を有する。即ち、少なくとも１つの開時間２１５及び少なくとも１つの閉時間２１７の最初から少なくとも１つの開時間２１５及び少なくとも１つの閉時間２１７の最後までの期間が所定の長さの時間２１３に等しい。左眼シャッタ１１１の高速開閉位置２１１の各開時間２１５は、１／２４秒未満である。また、図から分かるように、所定の長さの時間２１３中は、重複して交差する複数の開時間２１５と閉時間２１７を有し、各開時間２１５は、１／２４秒未満である。また、右眼シャッタ１０９の高速開閉位置２１０の所定の長さの時間２１２中、少なくとも１つの開時間２１４及び閉時間２１６を有する。即ち、少なくとも１つの開時間２１４及び少なくとも１つの閉時間２１６の最初から少なくとも１つの開時間２１４及び少なくとも１つの閉時間２１６の最後までの期間が所定の長さの時間２１２に等しい。左眼シャッタ１０９の高速開閉位置２１０の各開時間２１４は、１／２４秒未満である。また、図から分かるように、所定の長さの時間２１２中は、重複して交差する複数の開時間２１４と閉時間２１６を有し、各開時間２１４は、１／２４秒未満である。これにより、視覚残留が発生しないため、左眼及び右眼が画像が上書きされる過程中のコンテンツを見るのが防止され、眼の視覚感光が増加し、開位置２０８，２０９と閉位置２０６，２０７とが切り替わる際の明暗コントラストを低下させ、眼精疲労を軽減し、画素及び色彩飽和度を高めることができる。
【００２３】
本発明の立体メガネの制御方法、制御システム及び制御コンピュータプログラム中、所定の長さの時間２１２，２１３中の１回又は各回の開時間２１４，２１５は、１／２４秒未満に設定される。これにより、左眼及び右眼は、各開時間２１４，２１５に視覚残留が形成されない。また、立体メガネ１０８の右眼シャッタ１０９及び左眼シャッタ１１１は、所定の長さの時間２１２，２１３中、互いに相反する高速開閉動作を行い、一方が開時間２１４，２１５である際、他方は、閉時間２１６，２１７である。
【００２４】
図４は、本発明の他の実施形態であり、前述の実施形態と異なる点は、立体メガネ１０８（図２参照）を、右眼シャッタ１０９及び左眼シャッタ１１１が閉位置２０６，２０７中において、１回又は重複交差する複数の開時間２１８，２１９及び閉時間２２０，２２１を有するように制御する点である。各開時間２１８，２１９は、１／２４秒未満であり、これにより、左眼及び右眼は、各開時間２１８，２１９において視覚残留が形成されず、眼の視覚感光が増加され、開位置と閉位置とが切り替わる際の明暗コントラストを低下させ、眼精疲労を軽減し、画素及び色彩飽和度を高める。
【００２５】
上記の実施例は、本発明の実施形態を例示すること、及び本発明の技術特徴を理解することに用いるものであり、本発明の保護範疇を制限することに用いるのではない。
【符号の説明】
【００２６】
１００  コンピュータシステム
１０１  ホストプロセッサ
１０２  バス
１０３  メインメモリ
１０４  グラフィックスプロセッサ
１０５  ディスプレイ
１０６  二次ストレージ
１０７  立体制御装置
１０８  立体メガネ
１０９  右眼シャッタ
１１０  メガネ本体
１１１  左眼シャッタ
２００  タイミング
２０１  通信媒体
２０２  垂直帰線区間
２０３  垂直帰線区間
２０４  右眼制御信号
２０５  左眼制御信号
２０６  閉位置
２０７  閉位置
２０８  開位置
２０９  開位置
２１０  高速開閉位置
２１１  高速開閉位置
２１２  所定の長さの時間
２１３  所定の長さの時間
２１４  開時間
２１５  開時間
２１６  閉時間
２１７  閉時間
２１８  開時間
２１９  開時間
２２０  閉時間
２２１  閉時間
【図１】
2016111682.tif 000003
【図２】
2016111682.tif 000004
【図３】
2016111682.tif 000005
【図４】
2016111682.tif 000006